(57)【要約】【課題】誤検出を低減し、当該装置に係る機能設定値を容易に変更可能とする。【解決手段】電子機器１は、タッチパネル１２に対する既存操作と競合しない第１の近接又は接触、及び該第１の近接又は接触の後に生じるタッチパネル１２に対する第２の近接又は接触を識別する識別部１４と、識別部１４によって識別されるタッチパネル１２に対する第１の近接又は接触に基づいて、表示部１１に機能設定値を表示する表示制御部１３と、識別部１４によって識別されるタッチパネル１２に対する第２の近接又は接触に基づいて、機能設定値を変更する機能設定部１５とを備えている。【選択図】図１
2014153916.tif 000002
【特許請求の範囲】
【請求項１】
表示部とタッチパネルとを備える電子機器であって、
前記タッチパネルに対する既存操作と競合しない第１の近接又は接触、及び該第１の近接又は接触の後に生じる前記タッチパネルに対する第２の近接又は接触を識別する識別部と、
前記識別部によって識別される前記タッチパネルに対する第１の近接又は接触に基づいて、前記表示部に機能設定値を表示する表示制御部と、
前記識別部によって識別される前記タッチパネルに対する第２の近接又は接触に基づいて、前記機能設定値を変更する機能設定部と
を備えることを特徴とする電子機器。
【請求項２】
前記識別部は、既存操作と競合しない、複数の指によるタッチ操作、または、少なくとも１本以上の指によるジェスチャ、または、複数の指によるタッチ操作とそのうちの少なくとも１本以上の指によるジェスチャとの組み合わせのうちのいずれかを、前記第１の近接又は接触として識別する
ことを特徴とする請求項１に記載の電子機器。
【請求項３】
前記識別部は、前記タッチパネルに対して近接又は接触している複数の指のうち、少なくとも１本の指の動きを、前記第２の近接又は接触として識別する
ことを特徴とする請求項１または２に記載の電子機器。
【請求項４】
前記表示制御部は、前記機能設定部によって前記タッチパネルに対する第２の近接又は接触に基づいて変更される前記機能設定値をリアルタイムで前記表示部に表示する
ことを特徴とする請求項１から３のいずれかに記載の電子機器。
【請求項５】
前記機能設定部は、前記機能設定値として、無操作時に前記表示部の電源を遮断するまでのタイムアウト時間を決めるタイマ値を変更する
ことを特徴とする請求項１から４のいずれかに記載の電子機器。
【請求項６】
前記機能設定部は、前記機能設定値として、前記表示部の明るさを変更する
ことを特徴とする請求項１から４のいずれかに記載の電子機器。
【請求項７】
前記機能設定部は、前記機能設定値として、文字サイズを変更する
ことを特徴とする請求項１から４のいずれかに記載の電子機器。
【請求項８】
表示部とタッチパネルとを備える電子機器の制御方法であって、
前記タッチパネルに対する既存操作と競合しない第１の近接又は接触、及び該第１の近接又は接触の後に生じる前記タッチパネルに対する第２の近接又は接触を識別するステップと、
前記タッチパネルに対する第１の近接又は接触に基づいて、前記表示部に機能設定値を表示するステップと、
前記タッチパネルに対する第２の近接又は接触に基づいて、前記機能設定値を変更するステップと
を含むことを特徴とする制御方法。
【請求項９】
表示部とタッチパネルとを備える電子機器のコンピュータに、
前記タッチパネルに対する既存操作と競合しない第１の近接又は接触、及び該第１の近接又は接触の後に生じる前記タッチパネルに対する第２の近接又は接触を識別する識別機能、
前記識別機能によって識別される前記タッチパネルに対する第１の近接又は接触に基づいて、前記表示部に機能設定値を表示する表示制御機能、
前記識別機能によって識別される前記タッチパネルに対する第２の近接又は接触に基づいて、前記機能設定値を変更する機能設定機能
を実行させることを特徴とするプログラム。
【発明の詳細な説明】
【技術分野】
【０００１】
本発明は、電子機器、制御方法、及びプログラムに関する。
【背景技術】
【０００２】
近年、電子機器おいては、消費電力を低減したりするための省電力化が進んでいる。特に、携帯電話（スマートフォン）や、タブレットＰＣ（Ｐｅｒｓｏｎａｌ  Ｃｏｍｐｕｔｅｒ）など、内蔵バッテリを電源とする電子機器の場合には、バッテリの持続時間を延ばすために、例えば、無操作状態が一定時間以上経過すると、表示部への電源供給を遮断したり、スリープ状態に移行したりするようになっている。また、表示部の明るさや、音量などをマニュアルで調整することで省電力化を図ることも可能となっている。
【０００３】
しかしながら、無操作状態が一定時間以上経過すると、表示部への電源供給を遮断するため、表示部に表示されている情報を、まだ読み終えていないにも関わらず、表示部がオフされる場合がある。このように、意図せずに表示部がオフされることは、不愉快であり、再表示するための手間がかかる。
【０００４】
表示部のタイムアウト時間を変更するには、メニューを辿っていく必要があるため、設定変更が煩わしく、直ぐに設定変更することができなかった。この煩わしさは、表示部の明るさや、音量などを調整する場合についても同様である。そのため、タッチパネルディスプレイを備える電子機器においては、タッチパネル上でのタッチ操作で、音量などを調整する技術が提案されている。
【０００５】
例えば、特許文献１には、第１の指（例えば人差し指）がタッチした領域を固定領域とし、第２の指（例えば中指）が固定領域外をダブルクリックすると、あるいは、第３の指（例えば薬指）が固定領域外をダブルクリックすると、第２の指がタッチした位置を中心とする所定長の径を有する同心円状のスクロールホイールを表示し、第２の指のスクロールホイール上での回転操作に応じて固定領域外をスクロールする技術が提案されている。
【０００６】
また、特許文献２には、タッチパネルに複数の指（３本以上の指）が置かれたとき、各指の接触位置を結んで構成される多角形の面積を算出するとともに、タッチパネル上で複数の指が回転操作されたとき、各指の移動から回転速度を検出し、求めた多角形の面積及び回転速度から算出した、画面に表示されるトランジションの表示切替速度に基づいて、トランジションの表示切替処理を行う技術が提案されている。
【０００７】
また、特許文献３には、１本又はそれ以上の指の接触でグラフィック・オブジェクトを表示し、該グラフィック・オブジェクト上での動作（ジェスチャ）に応じて、パラメータを調整する技術が提案されている。より具体的には、例えば、グラフィック・オブジェクトがノブである場合には、ノブの周囲に沿って１本又はそれ以上の指を置いて、パラメータを調整するよう、時計回り又は反時計回りの回転又はねじり動作をすることで、制御されるパラメータを調整する。
【０００８】
また、特許文献４には、マルチポイント・タッチ・スクリーン上に置かれたユーザの指の回転動作に応じて、ディスプレイされている仮想制御ノブを回転させ、該仮想制御ノブに対応付けられている音量などを制御する技術が提案されている。
【先行技術文献】
【特許文献】
【０００９】
【特許文献１】特開２０１１−２４２８２０号公報
【特許文献２】特開２０１１−００３０７４号公報
【特許文献３】特表２００９−５２２６６９号公報
【特許文献４】特表２００８−５０８６００号公報
【発明の概要】
【発明が解決しようとする課題】
【００１０】
しかしながら、上記特許文献１、２は、それぞれスクロール制御、トランジションの表示切替処理に関するもので、表示部のタイムアウト時間や、表示部の明るさ、音量など、当該装置に係る機能設定値を容易に変更することができないという問題があった。
【００１１】
また、特許文献３、４では、指の動作により音量などを調整することができるものの、タッチパネル上に指を置く際、他のタッチ操作、例えば、タップ、フリック、ピンチ等の既存操作と競合し、誤検出となる可能性があるという問題があった
【００１２】
そこで本発明は、誤検出を低減し、当該装置に係る機能設定値を容易に変更することができる電子機器、制御方法、及びプログラムを提供することを目的とする。
【課題を解決するための手段】
【００１３】
本発明の電子機器は、表示部とタッチパネルとを備える電子機器であって、前記タッチパネルに対する既存操作と競合しない第１の近接又は接触、及び該第１の近接又は接触の後に生じる前記タッチパネルに対する第２の近接又は接触を識別する識別部と、前記識別部によって識別される前記タッチパネルに対する第１の近接又は接触に基づいて、前記表示部に機能設定値を表示する表示制御部と、前記識別部によって識別される前記タッチパネルに対する第２の近接又は接触に基づいて、前記機能設定値を変更する機能設定部とを備えることを特徴とする電子機器である。
【００１４】
本発明の制御方法は、表示部とタッチパネルとを備える電子機器の制御方法であって、前記タッチパネルに対する既存操作と競合しない第１の近接又は接触、及び該第１の近接又は接触の後に生じる前記タッチパネルに対する第２の近接又は接触を識別するステップと、前記タッチパネルに対する第１の近接又は接触に基づいて、前記表示部に機能設定値を表示するステップと、前記タッチパネルに対する第２の近接又は接触に基づいて、前記機能設定値を変更するステップとを含むことを特徴とする制御方法である。
【００１５】
本発明のプログラムは、表示部とタッチパネルとを備える電子機器のコンピュータに、前記タッチパネルに対する既存操作と競合しない第１の近接又は接触、及び該第１の近接又は接触の後に生じる前記タッチパネルに対する第２の近接又は接触を識別する識別機能、前記識別機能によって識別される前記タッチパネルに対する第１の近接又は接触に基づいて、前記表示部に機能設定値を表示する表示制御機能、前記識別機能によって識別される前記タッチパネルに対する第２の近接又は接触に基づいて、前記機能設定値を変更する機能設定機能を実行させることを特徴とするプログラムである。
【発明の効果】
【００１６】
この発明によれば、誤検出を低減し、当該装置に係る機能設定値を容易に変更することができる。
【図面の簡単な説明】
【００１７】
【図１】本発明の第１実施形態による電子機器の構成を示すブロック図である。
【図２】本第１実施形態による電子機器の動作を説明するためのフローチャートである。
【図３】本第２実施形態による電子機器１の外観の一例を示す外観図である。
【図４】本第２実施形態による電子機器１００の構成を示すブロック図である。
【図５】本第２実施形態による電子機器１００の動作を説明するためのフローチャートである。
【図６】本第２実施形態の電子機器１００のタッチパネルディスプレイ１０１（表示部１１）に表示される画面を示す模式図である。
【図７】本第２実施形態の電子機器１００のタッチパネルディスプレイ１０１（表示部１１）に表示される画面を示す模式図である。
【図８】本第３実施形態の電子機器１００のタッチパネルディスプレイ１０１（表示部１１）に表示される画面を示す模式図である。
【図９】本第４実施形態の電子機器１００のタッチパネルディスプレイ１０１（表示部１１）に表示される画面を示す模式図である。
【図１０】本第５実施形態の電子機器１００のタッチパネルディスプレイ１０１（表示部１１）に表示される画面を示す模式図である。
【発明を実施するための形態】
【００１８】
以下、本発明の実施の形態を、図面を参照して説明する。
【００１９】
Ａ．第１実施形態
まず、本発明の第１実施形態について説明する。
図１は、本発明の第１実施形態による電子機器の構成を示すブロック図である。図１において、電子機器１は、タッチパネルディスプレイ１０、表示制御部１３、識別部１４、及び機能設定部１５を備えている。タッチパネルディスプレイ１０は、表示部１１とタッチパネル１２とからなる。表示部１１は、液晶表示器や、有機ＥＬ（Ｅｌｅｃｔｒｏ  Ｌｕｍｉｎｅｓｃｅｎｃｅ）表示器などからなる。
【００２０】
タッチパネル１２は、指などの直接接触を検出する接触検出型、あるいは、指などが近づいたことを検出する近接検出型からなる。また、タッチパネル１２は、表示部１１と一体となっている形態（例えば、スマートフォンや、タブレットＰＣなどのように画面とタッチパネルが一体となっている）、または表示部１１と別体となっている形態（例えば、ノートＰＣの液晶画面とタッチパッド）のいずれでもよい。
【００２１】
また、表示部１１と一体となっている形態のタッチパネル１２としては、例えば、表示部１１の画面の全面にタッチセンサなどの検出部を重ね合わせた外付け型や、一体で製造されている内蔵型（内蔵型には、さらに、オンセル型とインセル型がある）であってもよい。
【００２２】
表示制御部１３は、表示部１１に対するグラフィックや各種データの表示制御を行う。特に、第１実施形態では、表示制御部１３は、後述する識別部１４によってタッチパネル１２に対する第１の近接又は接触（後述）が識別されると、表示部１１に機能設定画像を表示する。機能設定画像とは、タッチパネル１２に対する第２の近接又は接触（後述）に応じて、リアルタイムで、当該電子機器１のシステム機能（表示部１１のタイムアウト時間や、表示部１１の明るさ、音量など）に関する機能設定値を表示するグラフィック画像である。該機能設定画像としては、調整しようとする機能設定値に応じて、ダイヤル、スライドバー、ラジオボタンなど、様々な表示形態が考えられる。ユーザは、機能設定画像を見ながら、タッチパネル１２に対する第２の近接又は接触によって、当該電子機器１のシステム機能に関する機能設定値を変更することができるようになっている。
【００２３】
識別部１４は、タッチパネル１２への第１の近接又は接触、または第２の近接又は接触を識別する。第１の近接又は接触とは、既存操作と競合しない所定の操作を意味する。既存操作とは、すでに登録されているタッチ操作であり、例えば、１本、または２本の指によるタップ、フリック、ピンチ等が含まれる。ゆえに、第１の近接又は接触とは、上記既存操作と競合しない、その他のタッチ操作である。例えば、複数の指（１本以上、好ましくは３本以上の指）によるタッチ操作、少なくとも１本以上の指による、新たに登録したジェスチャ（指の動き）、該複数の指によるタッチ操作とそのうちの少なくとも１本以上の指によるジェスチャとの組み合わせが相当する。
【００２４】
また、第２の近接又は接触とは、既にタッチパネル１２に対して近接又は接触した指の所定の動きを意味し、機能設定画像の形態に応じて、タッチパネル１２に対して近接又は接触している複数の指のうち、例えば、少なくとも１本の指（例えば、人差し指）で円弧を描くように動かしたり、上下方向に動かしたり、左右方向に動かすことに相当する。
【００２５】
機能設定部１５は、識別部１４からの、タッチパネル１２に対する第２の近接又は接触に応じて、当該電子機器１のシステム機能（表示部１１のタイムアウト時間や、表示部１１の明るさ、音量など）に関する機能設定値を変更する。
【００２６】
次に、第１実施形態の動作について説明する。
図２は、本第１実施形態による電子機器の動作を説明するためのフローチャートである。識別部１４は、タッチパネル１２に対して第１の近接又は接触があるか否かを判定する（ステップＳ１０）。識別部１４は、第１の近接又は接触がない場合には（ステップＳ１０のＮＯ）、ステップＳ１０で待機する。
【００２７】
一方、タッチパネル１２に対して第１の近接又は接触があった場合には（ステップＳ１０のＹＥＳ）、表示制御部１３は、表示部１１に半透明の機能設定画像を表示する（ステップＳ１２）。識別部１４は、タッチパネル１２に対して第２の近接又は接触があったか否かを判定する（ステップＳ１４）。そして、第２の近接又は接触がない場合には（ステップＳ１４のＮＯ）、ステップＳ１２に戻って待機する。
【００２８】
一方、第２の近接又は接触があった場合には（ステップＳ１４のＹＥＳ）、機能設定部１５は、第２の近接又は接触に基づいて機能設定値を変更する（ステップＳ１６）。次に、識別部１４は、タッチパネル１２に対して近接又は接触していた指が離れたか否かを判定する（ステップＳ１８）。なお、指の近接を検出する場合には、指の近接が検出できない距離まで離れた場合に離れたと判定する。そして、近接又は接触していた指が離れた場合には（ステップＳ１８のＮＯ）、ステップＳ１２に戻り、上述したステップＳ１２〜Ｓ１８を繰り返す。ユーザは、機能設定画像を見ながら第２の近接又は接触によって機能設定値を変更することができる。一方、タッチパネル１２に対して近接又は接触していた指が離れた場合には（ステップＳ１８のＹＥＳ）、当該処理を終了する。
【００２９】
上述した第１実施形態によれば、タッチパネル１２に対する、既存操作と競合しない第１の近接又は接触を契機に、当該装置の機能設定値を変更する処理へ移行するようにしたので、既存操作と誤検出されることなく、円滑に当該装置の機能設定値を変更する処理に移行することができる。
【００３０】
また、上述した第１実施形態によれば、タッチパネル１２に対する第２の近接又は接触に応じて当該装置の機能設定値を変更するようにしたので、階層構造のメニューを辿ることなく、当該装置の機能設定値を容易に変更することができる。
【００３１】
また、上述した第１実施形態によれば、当該装置の機能設定値を設定する際には、表示部１１に表示する機能設定画像で、変更される機能設定値をリアルタイムで表示するようにしたので、ユーザは機能設定画像を見ながら当該装置の機能設定値を容易に変更することができる。
【００３２】
Ｂ．第２実施形態
次に、本発明の第２実施形態について説明する。
図３は、本第２実施形態による電子機器１００の外観の一例を示す外観図である。本発明の電子機器１００は、例えば、携帯情報端末（ＰＤＡ）や、スマートフォンのように、タッチパネル機能を持つタッチパネルディスプレイ１０１とボタン１０２とを備えている。タッチパネルディスプレイ１０１は、前述した第１実施形態でのタッチパネルディスプレイ２と同様に、液晶表示器や、有機ＥＬ表示器などからなる表示部１１と、指などの近接又は接触を検出するタッチパネル１２とからなる。タッチパネルディスプレイ１０１は、複数の指などの近接又は接触（位置を含む）が検出可能なマルチタッチ機能を備えているマルチタッチスクリーンである。なお、２本以上の指の近接又は接触、及び位置検出ができるマルチタッチ機能は、既知の技術であるため詳細な説明は省略する。
【００３３】
ボタン１０２は、電子機器１００で実行されているアプリケーションプログラム（以下、単にアプリケーションと呼ぶ）を終了させるためのボタンである。なお、アプリケーションの起動は、タッチパネルディスプレイ１０１のタッチパネル機能を用いて、画面に表示されるアプリケーションのアイコンをクリック（タップ操作）することにより実行される。電子機器１００は、他にも通信機能等を備えていてもよいが、本発明とは直接関係がないため説明は省略する。
【００３４】
図４は、本第２実施形態による電子機器１００の構成を示すブロック図である。なお、図３に対応する部分には同一の符号を付けて説明を省略する。図において、電子機器１００は、システムバス２０７を介してＣＰＵ（Ｃｅｎｔｒａｌ  Ｐｒｏｃｅｓｓｉｎｇ  Ｕｎｉｔ）２０１、ＲＡＭ（Ｒａｎｄｏｍ  Ａｃｃｅｓｓ  Ｍｅｍｏｒｙ）２０３、ＲＯＭ（Ｒｅａｄ  Ｏｎｌｙ  Ｍｅｍｏｒｙ）２０２、記憶装置２０４、入出力インターフェース２０５、及びタッチパネルディスプレイ１０１が接続されている。ＣＰＵ２０１は、システムバス２０７に接続される各デバイスやコントローラを統括的に制御する。
【００３５】
ＲＯＭ２０２、あるいは記憶装置２０４は、ＣＰＵ２０１が実行する制御プログラムであるＢＩＯＳ（Ｂａｓｉｃ  Ｉｎｐｕｔ／Ｏｕｔｐｕｔ  Ｓｙｓｔｅｍ）や、ＯＳ（ＯｐｅｒａｔｉｎｇＳｙｓｔｅｍ）や、本情報処理方法を実現するためのコンピュータ読み取り実行可能なプログラム、及び必要な各種データ（データテーブルを含む）を保持している。ＲＡＭ２０３は、ＣＰＵ２０１の主メモリ、ワークエリア等として機能する。ＣＰＵ２０１は、処理の実行に際して必要なプログラム等をＲＯＭ２０２、あるいは記憶装置２０４からＲＡＭ２０３にロードし、ロードしたプログラムを実行することで各種動作を実現する。すなわち、ＣＰＵ２０１は、ＲＯＭ２０２、あるいは記憶装置２０４のプログラムを実行することにより、前述した第１実施形態と同様に、図２に示す、表示制御部１３、識別部１４、機能設定部１５の機能を実現する。
【００３６】
入出力インターフェース２０５は、タッチパネルディスプレイ１０１からの入力を制御する。ユーザは、タッチパネルディスプレイ１０１に表示されたアイコンや、カーソル、ボタンなどに合わせて押下（指等でタッチ操作）することにより、各種の指示を行うことができる。なお、上記ＲＯＭ２０２、ＲＡＭ２０３は、フラッシュメモリ等の書き換え可能な不揮発性メモリであってもよい。
【００３７】
次に、上述した第２実施形態の動作について説明する。
図５は、本第２実施形態による電子機器１００の動作を説明するためのフローチャートである。ＣＰＵ２０１は、タッチパネルディスプレイ１０１に対してタッチしている指が３本以上であるか否かを判定する（ステップＳ３０）。ＣＰＵ２０１は、タッチしている指が３本以上でない場合には（ステップＳ３０のＮＯ）、タッチ操作している指の本数に応じた処理（タップ、フリック、ピンチ等）を実行する（ステップＳ３２）。
【００３８】
一方、タッチパネルディスプレイ１０１に対してタッチしている指が３本以上である場合には（ステップＳ３０のＹＥＳ）、ＣＰＵ２０１は、タッチしている３本の指のうち、少なくとも１本の指の動き（軌跡）により、既存操作と競合しない、所定のジェスチャが行われたか否かを判定する（ステップＳ３４）。そして、所定のジェスチャが行われない場合には（ステップＳ３４のＮＯ）、ステップＳ３０に戻り、上述した処理を繰り返す。
【００３９】
図６は、本第２実施形態の電子機器１００のタッチパネルディスプレイ１０１（表示部１１）に表示される画面を示す模式図である。図６に示すように、ユーザは、タッチパネルディスプレイ１０１を３本以上の指３０１、３０２、３０３でタッチした後、タッチしている３本の指３０１、３０２、３０３のうち、少なくとも１本の指３０３を、左右の横方向や、上下の縦方向に動かす、あるいは図示していないが円を描く、三画を描く、あるいはユニークな軌跡を描くなど、既存操作と競合しない、所定のジェスチャを行う。
【００４０】
上述したように、タッチしている３本の指のうち、少なくとも１本の指により所定のジェスチャが行われた場合には（ステップＳ３４のＹＥＳ）、ＣＰＵ２０１は、タッチパネルディスプレイ１０１（の画面）に半透明のタイマ時計設定画像を表示する（ステップＳ３６）。
【００４１】
ＣＰＵ２０１は、マルチタッチスクリーン２０６にタッチしている３本の指のうち、いずれか一指の動きを検出したか否かを判定する（ステップＳ３８）。そして、３本の指のうち、いずれか一指の動きが検出されない場合には（ステップＳ３８のＮＯ）、ステップＳ３８を繰り返すことで待機する。
【００４２】
一方、３本の指のうち、いずれか一指の動きを検出した場合には（ステップＳ３８のＹＥＳ）、ＣＰＵ２０１は、該一指の動きに応じてタイマ値を変更する（ステップＳ４０）。また、ＣＰＵ２０１は、一指の動きに応じて変更されるタイマ値に応じて、タイマ時計設定画像内のタイマ値（を表す画像）をリアルタイムで更新する（ステップＳ４２）。
【００４３】
図７は、本第２実施形態の電子機器１００のタッチパネルディスプレイ１０１（表示部１１）に表示される画面を示す模式図である。図７に示すように、ＣＰＵ２０１は、タッチパネルディスプレイ１０１に半透明のタイマ時計設定画像４００を表示する。タイマ時計設定画像４００は、表示部１１のタイムアウト時間として設定されているタイマ値を示すものであり、目盛りの値は電子機器１００の使用シーンにあわせたものでよい。ユーザは、タイマ時計設定画像４００が表示されると、タッチパネルディスプレイ１０１を３本の指３０１、３０２、３０３でタッチしたまま、そのうちの１本の指３０２を、円弧を描くように動かすことで、タイマ値を変更する。ユーザが時計周りに円を描くようドラッグ操作を行うと、変更されたタイマ値に応じて、タイマ時計設定画像４００の針４０１が連動して動く。すなわち、タイマ時計設定画像４００には、現在のタイマ値がリアルタイムで反映される。
【００４４】
次に、ＣＰＵ２０１は、タッチパネルディスプレイ１０１にタッチしている３本の指が離れたか否かを判定する（ステップＳ４４）。そして、３本の指が離れていない場合には（ステップＳ４４のＮＯ）、ステップＳ３８に戻り、上述したステップＳ３８〜Ｓ４４を繰り返す。ユーザは、タイマ時計設定画像４００を見ながら、１本の指３０２を動かすことで、所望するタイマ値に変更することができる。
【００４５】
一方、タッチパネルディスプレイ１０１にタッチしている３本の指が離れた場合には（ステップＳ４４のＹＥＳ）、ＣＰＵ２０１は、現在のタイマ値を表示部１１のタイムアウト時間として保存する（ステップＳ４６）。次に、ＣＰＵ２０１は、タイマ時計設定画像４００を消去し（ステップＳ４８）、当該処理を終了する。この結果、ＣＰＵ２０１は、無操作状態が上記ユーザにより設定されたタイマ値以上経過すると、タッチパネルディスプレイ１０１を構成する表示部１１への電源供給を遮断する。
【００４６】
上述した第２実施形態によれば、タッチパネルディスプレイ１０１対する、既存操作と競合しない所定の操作（３本の指３０１、３０２、３０３によるタッチと、少なくともそのうちの１本の指３０３による所定のジェスチャ）を契機に、表示部１１のタイムアウト時間を決めるタイマ値を変更する処理へ移行するようにしたので、既存操作と誤検出されることなく、円滑にタイマ値の設定処理に移行することができる。
【００４７】
また、上述した第２実施形態によれば、タッチパネルディスプレイ１０１にタッチしている３本の指３０１、３０２、３０３のうち、いずれか１本の指３０２の動きに応じて、表示部１１のタイムアウト時間を決めるタイマ値を変更するようにしたので、階層構造のメニューを辿ることなく、表示部１１のタイムアウト時間を容易に変更することができる。この結果、表示されている情報を、まだ読み終えていないにも関わらず、表示部１１がオフされるという状況を回避することができる。
【００４８】
また、上述した第２実施形態によれば、タイマ値を設定する際には、表示部１１に表示するタイマ時計設定画像４００で、変更されるタイマ値をリアルタイムで表示するようにしたので、ユーザは、タイマ時計設定画像４００を見ながらタイマ値を容易に変更することができる。
【００４９】
Ｃ．第３実施形態
次に、本発明の第３実施形態について説明する。なお、電子機器１００の構成、動作（フローチャート）は、上述した第２実施形態と同様であるので説明を省略する。
図８は、本第３実施形態の電子機器１００のタッチパネルディスプレイ１０１（表示部１１）に表示される画面を示す模式図である。本第３実施形態では、タッチパネルディスプレイ１０１に設定可能なタイマ値を上下の縦方向に並べた半透明のタイマ時計設定画像５００を表示する。そして、ＣＰＵ２０１は、該タイマ時計設定画像５００に対する、３本の指３０１、３０２、３０３のうち、少なくとも１本の指３０３の上下縦方向の動きに応じてタイマ値を変更する。
【００５０】
上述した第３実施形態によれば、タッチパネルディスプレイ１０１対する、既存操作と競合しない所定の操作（３本の指３０１、３０２、３０３によるタッチと、少なくともそのうちの１本の指３０３による所定のジェスチャ）を契機に、表示部１１のタイムアウト時間を決めるタイマ値を変更する処理へ移行するようにしたので、既存操作と誤検出されることなく、円滑にタイマ値の設定処理に移行することができる。
【００５１】
また、上述した第３実施形態によれば、タッチパネルディスプレイ１０１にタッチしている３本の指３０１、３０２、３０３のうち、いずれか１本の指３０２の動きに応じて、表示部１１のタイムアウト時間を決めるタイマ値を変更・保存するようにしたので、階層構造のメニューを辿ることなく、表示部１１のタイムアウト時間を容易に変更することができる。この結果、表示されている情報を、まだ読み終えていないにも関わらず、表示部１１がオフされるという状況を回避することができる。
【００５２】
また、上述した第３実施形態によれば、タイマ値を設定する際には、表示部１１に表示するタイマ時計設定画像５００で、変更されるタイマ値をリアルタイムで表示するようにしたので、ユーザは、タイマ時計設定画像５００を見ながらタイマ値を容易に変更することができる。
【００５３】
Ｄ．第４実施形態
次に、本発明の第４実施形態について説明する。なお、電子機器１００の構成、動作（フローチャート）は、上述した第２実施形態と同様であるので説明を省略する。
図９は、本第４実施形態の電子機器１００のタッチパネルディスプレイ１０１（表示部１１）に表示される画面を示す模式図である。本第４実施形態では、表示部１１のタイムアウト時間の設定に代えて、表示部１１の明るさを設定する。図９に示すように、本第４実施形態では、タッチパネルディスプレイ１０１に３本以上の指３０１、３０２、３０３がタッチされ、所定のジェスチャが行なわれると、横方向に伸びるバー形状の半透明の明るさ設定画像６００を表示する。そして、該明るさ設定画像６００に対して、３本の指３０１、３０２、３０３のうち、少なくとも１本の指３０１の左右水平方向の動きに応じて表示部１１の明るさを変更する。
【００５４】
上述した第４実施形態によれば、タッチパネルディスプレイ１０１対する、既存操作と競合しない所定の操作（３本の指３０１、３０２、３０３によるタッチと、少なくともそのうちの１本の指３０３による所定のジェスチャ）を契機に、表示部１１の明るさを変更する処理へ移行するようにしたので、既存操作と誤検出されることなく、円滑に表示部１１の明るさの設定処理に移行することができる。
【００５５】
また、上述した第４実施形態によれば、タッチパネルディスプレイ１０１にタッチしている３本の指３０１、３０２、３０３のうち、いずれか１本の指３０２の動きに応じて、表示部１１の明るさを変更・保存するようにしたので、階層構造のメニューを辿ることなく、表示部１１の明るさを容易に変更することができる。
【００５６】
また、上述した第４実施形態によれば、表示部１１の明るさを設定する際には、表示部１１に表示する明るさ設定画像６００で、変更される明るさをリアルタイムで表示するようにしたので、ユーザは、明るさ設定画像６００を見ながら表示部１１の明るさを容易に変更することができる。
【００５７】
Ｅ．第５実施形態
次に、本発明の第５実施形態について説明する。なお、電子機器１００の構成、動作（フローチャート）は、上述した第２実施形態と同様であるので説明を省略する。
図１０は、本第５実施形態の電子機器１００のタッチパネルディスプレイ１０１（表示部１１）に表示される画面を示す模式図である。本第５実施形態では、表示部１１のタイムアウト時間、あるいは表示部１１の明るさの設定に代えて、アプリケーション（図示の例ではブラウザ）の文字サイズを設定する。図１０に示すように、本第５実施形態では、タッチパネルディスプレイ１０１に３本以上の指３０１、３０２、３０３がタッチされ、所定のジェスチャが行なわれると、設定可能な文字サイズ（フォントサイズ：小さい、標準、大きい）を上下の縦方向に並べた半透明の文字サイズ設定画像７００を表示する。そして、該文字サイズ設定画像７００に対して、３本の指３０１、３０２、３０３のうち、少なくとも一指３０３の上下縦方向の動きに応じて文字サイズを変更する。
【００５８】
上述した第５実施形態によれば、タッチパネルディスプレイ１０１対する、既存操作と競合しない所定の操作（３本の指３０１、３０２、３０３によるタッチと、少なくともそのうちの１本の指３０３による所定のジェスチャ）を契機に、文字サイズを変更するようにしたので、既存操作と誤検出されることなく、円滑に文字サイズの設定処理に移行することができる。
【００５９】
また、上述した第４実施形態によれば、タッチパネルディスプレイ１０１にタッチしている３本の指３０１、３０２、３０３のうち、いずれか１本の指３０２の動きに応じて、文字サイズを変更・保存するようにしたので、階層構造のメニューを辿ることなく、文字サイズを容易に変更することができる。
【００６０】
また、上述した第４実施形態によれば、文字サイズを設定する際には、表示部１１に表示する文字サイズ設定画像７００で、変更される文字サイズをリアルタイムで表示するようにしたので、ユーザは、文字サイズ設定画像７００を見ながら文字サイズを容易に変更することができる。
【００６１】
なお、上述した第１乃至第５実施形態では、表示部１１のタイムアウト時間や、表示部１１の明るさ、文字サイズなどについて、変更された設定値を保存するようにしたが、これに限らず、例えば、アプリケーション終了後にデフォルト値に戻すなど、一時的に設定値を変更するようにしてもよい。
【００６２】
また、上述した第１乃至第５実施形態では、表示部１１のタイムアウト時間や、表示部１１の明るさ、文字サイズなどについて設定したが、これに限らず、各種の設定値を変更可能とするようにしてもよい。
【００６３】
また、上述した第１乃至第５実施形態において、機能設定画像については、図７乃至図１０に示す組み合わせに限らず、タイマ時計設定画像や文字サイズ設定画像を、図９に示すようなスライダとするなど、様々な形態であってもよい。
【００６４】
また、上述した第２乃至第５実施形態では、表示部のタイムアウト時間や、表示部の明るさ、音量それぞれの設定値を別途変更するようにしたが、例えば、それぞれの設定値に対して固有のジェスチャを紐付けることで、実行されるジェスチャに紐付けられている、表示部のタイムアウト時間や、表示部の明るさ、音量の変更処理へ分岐するようにしてもよい。
【００６５】
また、上述した第１乃至第５実施形態では、端末装置として携帯電話・スマートフォンに適用した例であるが、タッチパネルディスプレイを備える電子機器であれば、携帯電話・スマートフォンに限らず、他の装置（例えば、ゲーム機、タブレットＰＣ（Ｐｅｒｓｏｎａｌ  Ｃｏｍｐｕｔｅｒ）、ノートＰＣ、ＰＤＡ（Ｐｅｒｓｏｎａｌ  Ｄａｔａ  Ａｓｓｉｓｔａｎｔｓ：携帯情報端末）、デジタルカメラにも適用可能である。
【００６６】
以下、本発明の特徴を付記する。
上記の実施形態の一部又は全部は、以下の付記のようにも記載されうるが、以下には限られない。
（付記１）
図１は、付記１の構成図である。この図に示すように、付記１記載の発明は、
表示部１１とタッチパネル１２とを備える電子機器１であって、
前記タッチパネル１２に対する既存操作と競合しない第１の近接又は接触、及び該第１の近接又は接触の後に生じる前記タッチパネル１２に対する第２の近接又は接触を識別する識別部１４と、
前記識別部１４によって識別される前記タッチパネル１２に対する第１の近接又は接触に基づいて、前記表示部１１に機能設定値を表示する表示制御部１３と、
前記識別部１４によって識別される前記タッチパネル１２に対する第２の近接又は接触に基づいて、前記機能設定値を変更する機能設定部１５と
を備えることを特徴とする電子機器である。
【００６７】
（付記２）
前記識別部は、既存操作と競合しない、複数の指によるタッチ操作、または、少なくとも１本以上の指によるジェスチャ、または、複数の指によるタッチ操作とそのうちの少なくとも１本以上の指によるジェスチャとの組み合わせのうちのいずれかを、前記第１の近接又は接触として識別することを特徴とする付記１に記載の電子機器である。
【００６８】
（付記３）
前記識別部は、前記タッチパネルに対して近接又は接触している複数の指のうち、少なくとも１本の指の動きを、前記第２の近接又は接触として識別することを特徴とする付記１または２に記載の電子機器である。
【００６９】
（付記４）
前記表示制御部は、前記機能設定部によって前記タッチパネルに対する第２の近接又は接触に基づいて変更される前記機能設定値をリアルタイムで前記表示部に表示することを特徴とする付記１から３のいずれかに記載の電子機器である。
【００７０】
（付記５）
前記機能設定部は、前記機能設定値として、無操作時に前記表示部の電源を遮断するまでのタイムアウト時間を決めるタイマ値を変更することを特徴とする付記１から４のいずれかに記載の電子機器である。
【００７１】
（付記６）
前記機能設定部は、前記機能設定値として、前記表示部の明るさを変更することを特徴とする付記１から４のいずれかに記載の電子機器である。
【００７２】
（付記７）
前記機能設定部は、前記機能設定値として、文字サイズを変更することを特徴とする付記１から４のいずれかに記載の電子機器である。
【００７３】
（付記８）
表示部とタッチパネルとを備える電子機器の制御方法であって、前記タッチパネルに対する既存操作と競合しない第１の近接又は接触、及び該第１の近接又は接触の後に生じる前記タッチパネルに対する第２の近接又は接触を識別するステップと、前記タッチパネルに対する第１の近接又は接触に基づいて、前記表示部に機能設定値を表示するステップと、前記タッチパネルに対する第２の近接又は接触に基づいて、前記機能設定値を変更するステップとを含むことを特徴とする制御方法である。
【００７４】
（付記９）
表示部とタッチパネルとを備える電子機器のコンピュータに、前記タッチパネルに対する既存操作と競合しない第１の近接又は接触、及び該第１の近接又は接触の後に生じる前記タッチパネルに対する第２の近接又は接触を識別する識別機能、前記識別機能によって識別される前記タッチパネルに対する第１の近接又は接触に基づいて、前記表示部に機能設定値を表示する表示制御機能、前記識別機能によって識別される前記タッチパネルに対する第２の近接又は接触に基づいて、前記機能設定値を変更する機能設定機能を実行させることを特徴とするプログラムである。
【符号の説明】
【００７５】
１、１００  電子機器
１０、１０１  タッチパネルディスプレイ
１０２  ボタン
１１  表示部
１２  タッチパネル
１３  表示制御部
１４  識別部
１５  機能設定部
２０１  ＣＰＵ
２０２  ＲＯＭ
２０３  ＲＡＭ
２０４  記憶装置
２０５  入出力インターフェース
３０１、３０２、３０３  指
４００、５００  タイマ時計設定画像
４０１  針
６００  明るさ設定画像
７００  文字サイズ設定画像
【図１】
2014153916.tif 000003
【図２】
2014153916.tif 000004
【図３】
2014153916.tif 000005
【図４】
2014153916.tif 000006
【図５】
2014153916.tif 000007
【図６】
2014153916.tif 000008
【図７】
2014153916.tif 000009
【図８】
2014153916.tif 000010
【図９】
2014153916.tif 000011
【図１０】
2014153916.tif 000012